(57)【要約】【課題】  トレー両側に配置された回転軸を間欠回転させるだけで上下に重ね合わせられたトレーを一個々々下方へ落下供給することができるようにしたトレー供給装置を提供することを目的とする。【解決手段】  上下に重ね合わされた複数個のトレー１１を一個々々下方へ落下供給するトレー供給装置Ａであって、両側に所定の間隔を置いて平行状態に２本の回転軸１を対設し、これら回転軸１の軸方向外周に、最下部に位置するトレー１１両側のフランジ１２先端１２ａが回転軸１の回転により係・脱するよう断面Ｌ字形状の切欠部２を設け、両回転軸１を同期して互いに内側へ間欠回転するよう駆動源に連結して構成される。【選択図】          図１
2005350115.tif 000002
【特許請求の範囲】
【請求項１】
上下に重ね合わされた複数個のトレーを一個々々下方へ落下供給するトレー供給装置であって、両側に所定の間隔を置いて平行状態に２本の回転軸を対設し、これら回転軸の軸方向外周に、最下部に位置するトレー両側のフランジ先端が回転軸の回転により係・脱するよう切欠部を設け、両回転軸を同期して互いに内側へ間欠回転するよう駆動源に連結したことを特徴とするトレー供給装置。
【請求項２】
前記回転軸として、丸棒状に形成し、その軸方向外周に設けた切欠部を断面略Ｌ字形状に形成したことを特徴とする請求項１記載のトレー供給装置。
【発明の詳細な説明】
【技術分野】
【０００１】
本発明は、上下に重ね合わされた複数個のトレーを一個々々下方へ供給するトレー供給装置に関する。
【背景技術】
【０００２】
従来、この種のトレー供給装置としては、上下に重ね合わされた複数個のトレーにおいて、その最下部に位置するトレー両側のフランジ先端が係・脱するよう爪部材を配したものが知られている。
【特許文献１】特になし
【発明の開示】
【発明が解決しようとする課題】
【０００３】
しかしながら、前記した従来のトレー供給装置では、重ね合わせられたトレー両側のフランジとフランジとの間に爪部材を差し込み、次いで下側のトレーを下方へ落下させるよう爪部材を下降させる機構を必要とするため、全体の構造が大型かつ複雑なものとなってしまう問題があった。しかも、このために製造コストも高価となる問題もあった。
【０００４】
本発明は、このような従来の技術が有する問題点を解消するもので、トレー両側に配置された回転軸を間欠回転させるだけで上下に重ね合わせられたトレーを一個々々下方へ落下供給することができるようにしたトレー供給装置を提供することを目的とする。
【課題を解決するための手段】
【０００５】
前記目的を達成するために、本発明に係るトレー供給装置は、上下に重ね合わされた複数個のトレーを一個々々下方へ落下供給するトレー供給装置であって、両側に所定の間隔を置いて平行状態に２本の回転軸を対設し、これら回転軸の軸方向外周に、最下部に位置するトレー両側のフランジ先端が回転軸の回転により係・脱するよう切欠部を設け、両回転軸を同期して互いに内側へ間欠回転するよう駆動源に連結したことを特徴とする。
【０００６】
さらに、前記目的を達成するために、本発明に係るトレー供給装置は、前記回転軸として、丸棒状に形成し、その軸方向外周に設けた切欠部を断面略Ｌ字形状に形成したことを特徴とする。
【発明の効果】
【０００７】
本発明は、以上のとおり構成されるものであるから、２本一対の回転軸を同期して内側へ間欠回転させるだけで当該回転軸の軸方向外周に設けられた切欠部の作用によって、上下に重ね合わせられた複数個のトレーを一個々々下方へ落下供給できるため、全体の構造が小型かつシンプルなものとなる。
【０００８】
しかも、そのために製造コストが安価となるうえに、供給スピードも従来品より迅速なものとなる。
【発明を実施するための最良の形態】
【０００９】
以下、本発明に係るトレー供給装置を実施するための最良の形態について図面を参照して詳細に説明する。
図１は、同上の平面図であり、図２は、同上の正面図であり、図３及至図５は、トレーの供給工程を順次示す説明図である。
【００１０】
当該のトレー供給装置Ａは、両側に所定の間隔を置いて平行状態に２本の丸棒状の回転軸１を対設し、これら回転軸１の軸方向外周に、最下部のトレー１１両側のフランジ１２先端１２ａが回転軸１の回転により係・脱するよう断面略Ｌ字型の切欠部２を設けたことを主要構造とする。
【００１１】
トレー１１は、ギョーザ、シューマイ、サンドイッチ、すし、べんとう等の食品を複数個並べて収納保存するための弾性を有するプラスチック製矩形容器であって、長方形状の底面部１３、下方から上方へ漸次外側へ拡がる側面部１４、および側面部１４の上端を外方へ略逆Ｕ字状に折り曲げた既述フランジ１２とを見備する。
【００１２】
トレー１１は、トレー供給装置Ａの２本の回転軸１間上方に配設されたホッパー３内に上下に重ね合わされた状態で底面部１３およびフランジ１２間に所定の間隔ａを保持しつつ収納保持される。
【００１３】
すなわち、２本の回転軸１は、トレー１１の短手方向のフランジ１２に対応する位置に対設されるもので、回転軸１の切欠部２が図３に示した内側上方にあるとき、フランジ１２の先端１２ａが切欠部２の水平部２ａに当接係止されるものとなっている。一方、このとき、垂直部２ｂの上角部２ｃが次のトレー１１のフランジ１２の先端１２ａより下方に対向配置されるものとなっている。
【００１４】
また、前記回転軸１の下方には、上方より落下したトレー１１を受ける搬送コンベア４が回転軸１の軸方向と交差するよう移動可能に配設されている。
【００１５】
さらに、搬送コンベア４の両側には、２本の回転軸１の両端をそれぞれ回転自在に支承する支持部材５が対向配設されている。
【００１６】
そして、片側の支持部材５の外側において、両回転軸１の端部には歯車伝達機構６および駆動用のモータ７が配設され、モータ７の駆動力を歯車伝達機構６を介して２本の回転軸１に伝達し、両回転軸を１を同期して互いに内側へ間欠回転させるものとしてある。
【００１７】
なお、２本の回転軸１の切欠部２の作用によって重合するトレー１１を一個一個下方へ落下供給させることができるものであれば、モータ７の駆動力によって両回転軸１を連続して内側へ間欠回転させても良いが、所定の角度往復回転させるようにしても良い。
【００１８】
次に、図３及至図５に示す図面に基づき、本発明の作動について説明する。
スイッチ（図示しない）をオンとしモータ７を駆動する。このモータ７の駆動力は歯車伝達機構６を介して回転軸１に伝達され、両側に対設された回転軸１を矢印に示すようにそれぞれ内側に間欠回転させる。
【００１９】
これら回転軸１の間欠回転中、その切欠部２が図３に示すように内側上方に対面配置したとき、その水平部２ａ上面に最下部に位置するトレー１１の短手方向にフランジ１２の先端１２ａが当接係止された状態となる。
【００２０】
そして、両回転軸１がさらに内側へ回転すると、図４に示したように切欠部２の水平部２ａと垂直部２ｂが徐々に下方へ移行するに従って、フランジ１２の先端１２ａが水平部２ａ上を櫂りつつ、垂直部２ｂによってトレー１１は下方へ押し出される。
【００２１】
最後に、図５に示したように最下部のトレー１１は、その上に重ね合わせられたトレー１１から完全に離脱して下方に配設された搬送コンベア４上に落下供給される。
【００２２】
次いで、両回転軸１がさらに内側へ回転すると、次のトレー１１のフランジ１２の先端１２ａに対して回転軸１の円周部分が櫂接しつつ当該トレー１１を保持し、再び図３に示した位置に回転軸１の切欠部２が対向配置したとき、その水平部２ａ上面にトレー１１のフランジ１２の先端１２ａが当接係止された状態となる。以下、同様の作動が繰り返し行なわれ、トレー１１は次々と下方の搬送コンベア４上に落下供給されるものである。
【図面の簡単な説明】
【００２３】
【図１】本発明に係るトレー供給装置を示す平面図である。
【図２】同上正面図である。
【図３】同上の作動を示す最初の工程の説明図である。
【図４】次工程の説明図である。
【図５】さらに次工程の示す説明図である。
【符号の説明】
【００２４】
Ａ      トレー供給装置
１      回転軸
２      切欠部
７      モータ
１１    トレー
１２    フランジ
１２ａ  フランジの先端
【図１】
2005350115.tif 000003
【図２】
2005350115.tif 000004
【図３】
2005350115.tif 000005
【図４】
2005350115.tif 000006
【図５】
2005350115.tif 000007